(57)【要約】【課題】設置場所によって捕虫効率が低下することを抑制することができる捕虫器を提供すること。【解決手段】捕虫器１０は、虫を誘引する発光手段１１と、この発光手段１１を囲むように繰り出される捕虫シート１２と、この捕虫シート１２の繰り出しを許容し当該捕虫シート１２を保持する繰出手段１５と、回転可能に設けられて捕虫シート１２を透過した光を遮蔽可能な遮光手段１６とを備えて構成されている。遮光手段１６には、捕虫シート１２を透過した光を反射する反射面３８が設けられ、発光手段１１から捕虫器１０外部に発せられる光の向きを調整可能となる。【選択図】図３
2012115182.tif 000002
【特許請求の範囲】
【請求項１】
虫を誘引する発光手段と、この発光手段を囲む少なくとも２面に繰り出される捕虫シートと、この捕虫シートの繰り出しを許容し当該捕虫シートを保持する繰出手段と、回転可能に設けられ、前記捕虫シートを透過した光を遮蔽可能な遮光手段とを備えた捕虫器であって、
前記捕虫シートは、帯状をなす基材シートの一方の面に積層された接着剤層を含み、
前記遮光手段には、捕虫シートを透過した光を反射する反射手段が設けられていることを特徴とする捕虫器。
【請求項２】
前記遮光手段は複数設けられ、且つ、相互に独立して回転可能に設けられていることを特徴とする請求項１記載の捕虫器。
【発明の詳細な説明】
【技術分野】
【０００１】
本発明は、捕虫器に係り、更に詳しくは、光に誘引された虫を捕虫シートに接着して捕獲することができる捕虫器に関する。
【背景技術】
【０００２】
従来より、例えば、食品や粘着シート、精密機械等の製品に虫が混入することを防止するために捕虫器が利用され、かかる捕虫器としては、例えば、特許文献１に開示されている。図５に示されるように、同文献の捕虫器５０は、虫を誘引する発光源５１と、この発光源５１を収納するとともに、発光源５１を挟む同図中左右両側に開口５２Ａ、５２Ｂを有する箱状の筐体５２と、発光源５１からの発光により誘引された虫を接着して捕獲可能な捕虫シート５３と、筐体５２の各開口５２Ａ側に回転可能にそれぞれ設けられたルーバー５５とを備えている。各ルーバー５５における回転方向の向きは、捕虫器５０の手前側に位置するユーザに対し、発光源５１からの光が見えないように設定される。
【先行技術文献】
【特許文献】
【０００３】
【特許文献１】特開２００６−２３０２５８号公報
【発明の概要】
【発明が解決しようとする課題】
【０００４】
前記捕虫器５０にあっては、図５に示されるように、室内の角部Ｃの近傍に設置されると、当該角部Ｃ寄り（図５中左側）の開口５２Ａから発せられる光は、隣接する壁Ｗによって捕虫器５０の外部に照射されず、虫の誘引効果が低下してしまい、ひいては捕虫効率が低下してしまう、という不都合を招来する。
【０００５】
［発明の目的］
本発明の目的は、設置場所によって捕虫効率が低下することを抑制できる捕虫器を提供することにある。
【課題を解決するための手段】
【０００６】
前記目的を達成するため、本発明は、虫を誘引する発光手段と、この発光手段を囲む少なくとも２面に繰り出される捕虫シートと、この捕虫シートの繰り出しを許容し当該捕虫シートを保持する繰出手段と、回転可能に設けられ、前記捕虫シートを透過した光を遮蔽可能な遮光手段とを備えた捕虫器であって、
前記捕虫シートは、帯状をなす基材シートの一方の面に積層された接着剤層を含み、
前記遮光手段には、捕虫シートを透過した光を反射する反射手段が設けられる、という構成を採っている。
【０００７】
本発明において、前記遮光手段は複数設けられ、且つ、相互に独立して回転可能に設けられる、という構成を採ることが好ましい。
【発明の効果】
【０００８】
本発明によれば、回転可能な遮光手段に反射手段を設けたので、反射手段により発光手段から捕虫器の外部に発せられる光の向きを調整可能となる。これにより、遮光手段により発光手段の光がユーザの目に入ることを抑制しつつも、例えば、室内の角部の近傍に設置しても、反射手段を介して発光手段からの光を当該捕虫器の外部に照射することができ、捕虫シートに効率良く虫を誘引して捕獲することが可能となる。
【０００９】
また、複数の遮光手段を相互に独立して回転可能としたので、例えば、平面視で発光手段を挟む両側に遮光手段をそれぞれ設け、室内の角部の近傍に捕虫器を設置した場合、各遮光手段の向きを調整して反射手段で発光手段の光を反射させることで、角部を形成する各壁それぞれに平行に光を照射可能となる。これにより、発光手段の光を目に入り難くすることができ、且つ、発光手段の光による虫の誘引効果を向上させることが可能となる。
【図面の簡単な説明】
【００１０】
【図１】実施形態に係る捕虫器の概略正面断面図。
【図２】（Ａ）は、捕虫シートの正面図、（Ｂ）は、（Ａ）のＡ矢視断面図。
【図３】前記捕虫器の使用状態を示す断面図。
【図４】前記捕虫器の他の使用状態を示す断面図。
【図５】従来例に係る捕虫器の説明図。
【発明を実施するための形態】
【００１１】
以下、本発明の好ましい実施の形態について図面を参照しながら説明する。
なお、本明細書の方向若しくは位置を示す用語は、特に明示しない限り、図１を正面から見た場合を基準とし、「前」とは同図中手前側を示す一方、「後」とは、同奥行き側について用いられ、「左」「右」も同様に正面から見た場合を基準とする。
更に、「光」は、虫を誘引可能な波長の光であり、可視光線だけでなく紫外線や赤外線等の不可視光線も含む概念として用いる。
【００１２】
図１〜図４において、捕虫器１０は、虫を誘引する発光手段１１と、この発光手段１１の近傍に繰り出される捕虫シート１２と、発光手段１１等を支持する支持手段１３と、捕虫シート１２の繰り出しを許容し保持可能に設けられた繰出手段１５と、捕虫シート１２を透過した光を遮蔽可能な複数の遮光手段１６とを備えて構成されている。
【００１３】
前記発光手段１１は、図示しない電力源に接続される蛍光灯により構成されている。なお、蛍光灯は、虫を誘引可能な波長の光、例えば紫外線を発光するものが好ましい。
【００１４】
捕虫シート１２は、図２（Ａ）及び（Ｂ）に示されるように、帯状をなす基材シート１２Ａと、この基材シート１２Ａの一方の面（図２（Ｂ）中上面）に積層された接着剤層１２Ｂとからなる２層構造になっており、この接着剤層１２Ｂ側に剥離シート１２Ｃが仮着されている。基材シート１２Ａの短手方向両端、すなわち、図２中左右両端に沿う位置には、接着剤層１２Ｂを積層しない非接着領域１２Ｄがそれぞれ設けられている。
【００１５】
前記支持手段１３は、脚部材１９と、この脚部材１９から立設されて発光手段１１を支持する背面フレーム２０と、背面フレーム２０の前方に設けられたカバー部材２１と、背面フレーム２０及びカバー部材２１の間であって、背面フレーム２０の上部に設けられるとともに、遮光手段１６の上側を支持する上部カバー２２とを備えている。背面フレーム２０及びカバー部材２１は、発光手段１１から前後に発せられる光を遮蔽可能に設けられ、発光手段１１が発する光のうち、捕虫シート１２を透過した光だけが捕虫器１０の外部に発せられるようになっている。カバー部材２１は、ステンレス板等によって形成され、発光手段１１側（後面側）が鏡面２１Ａとされる。
【００１６】
前記繰出手段１５は、ロール状に巻回された捕虫シート１２を支持する支持軸２５と、支持軸２５から繰り出された捕虫シート１２を下方に導くガイドローラ２９と、下方に導かれた捕虫シート１２を発光手段１１の下方及び上方で案内する３本のローラ１７と、捕虫シート１２から剥離された剥離シート１２Ｃを上方で案内する２本の剥離用ローラ３０と、各ローラ１７及び各剥離用ローラ３０によって案内された捕虫シート１２及び剥離シート１２Ｃを一緒に巻き取る巻取軸３５と、巻取軸３５に連結された操作ハンドル３６とを備え、背面フレーム２０に支持されている。巻取軸３５は、操作ハンドル３６の操作により図１中矢印Ｒ１方向に回転可能となっており、剥離シート１２Ｃが剥離された捕虫シート１２の接着剤層１２Ｂを発光手段１１の反対側に表出した状態で、当該発光手段１１を囲むように繰り出し可能になっている。
【００１７】
前記遮光手段１６は、背面フレーム２０及びカバー部材２１間における左右両側にそれぞれ３体ずつ設けられている。各遮光手段１６は、上下に細長い板状に形成され、その上下両端側で脚部材１９と上部カバー２２とにより回転可能に支持されている。なお、各遮光手段１６の回転は、相互に独立して行えるようになっており、一の遮光手段１６の回転に連動して他の遮光手段１６が回転しないようになっている。各遮光手段１６は、捕虫シート１２を透過した光を遮蔽可能に設けられ、ユーザの目Ｅに光が入ることが抑制される（図３、図４参照）。各遮光手段１６の一方の面は、鏡面仕上げ等により反射手段としての反射面３８が設けられ、この反射面３８により捕虫シート１２を透過した光が反射し、捕虫器１０の外部に発せられる。
【００１８】
ここで、例えば、図３に示されるように、前記捕虫器１０が室内の角部Ｃの近傍に設置された場合の遮光手段１６の向きの調整方法を例示すると、全ての遮光手段１６によって背面フレーム２０とカバー部材２１との間を全閉した状態から、これら全ての遮光手段１６を時計方向に４５°程度回転する。これにより、隣り合う遮光手段１６の間から発光手段１１の光が外部に発せられ、同図中右側の各遮光手段１６における反射面３８に反射された光が右側後方の壁Ｗに向かって照射され、左側の各遮光手段１６における反射面３８に反射された光が捕虫器１０より前方の壁Ｗに向かって照射されることとなる。
【００１９】
なお、図３では、各遮光手段１６の回転角度を同一としているが、同図中点線で示されるように、各遮光手段１６それぞれの向きを独立して変更し、室内により良く光が放散されるよう調整してもよい。また、左側の各遮光手段１６だけ全閉状態としてもよく、発光手段１１から左側に発せられる光を反射面３８により右側に反射し、右側から発せられる光をより明るくすることができる。
【００２０】
また、図４に示されるように、反射面３８で反射した光が各壁Ｗに略平行に照射されるように各遮光手段１６の向きを相互に独立して回転して調整することもできる。図４の状態では、壁ＷにユーザＵが接近したとしても、意図的に壁Ｗに顔を近付けて捕虫シート１２側を覗き込まない限り、ユーザＵの肩が邪魔して発光手段１１の光が目Ｅに入らないように調整することができる。
【００２１】
従って、このような実施形態によれば、各遮光手段１６を回転して反射面３８の向きを変更し、発光手段１１から室内に発せられる光の向きを調整可能となる。これにより、捕虫器１０の設置場所に応じて、当該捕虫器１０から発せられる光をより強くしたり、光が発する範囲をより拡げたりすることができるようになる。その結果、虫の誘引能力を高めてより遠くを飛来する虫を誘引することができ、多くの虫を捕獲することが可能となる。
【００２２】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、発光手段１１において、紫外線の光源は蛍光灯に替えてＬＥＤ（発光ダイオード）等の他の発光源によって構成してもよい。
【００２４】
また、前記実施形態では、発光手段１１を囲む左右両面側に捕虫シート１２を繰り出したが、発光手段１１の上側や下側に捕虫シート１２を繰り出し、当該繰り出し位置で捕虫を行えるようにしてもよい。
【００２５】
更に、捕虫器１０は、自立タイプに限られず、壁や天井等に取り付け可能な構成としてもよい。
また、反射手段として鏡を遮光手段に取り付けてもよい。
【符号の説明】
【００２６】
１０  捕虫器
１１  発光手段
１２  捕虫シート
１２Ａ  基材シート
１２Ｂ  接着剤層
１５  繰出手段
１６  遮光手段
３８  反射面（反射手段）
【図１】
2012115182.tif 000003
【図２】
2012115182.tif 000004
【図３】
2012115182.tif 000005
【図４】
2012115182.tif 000006
【図５】
2012115182.tif 000007